(57)【要約】【課題】  カーペットもフローリングも長期的に安定して清掃可能とすること。【解決手段】  フレーム１５に掻き上げ体１６と、粘着ロール２１を回転させるための回転体１８を掻き上げ体１６と並べて回動自在に支持し、掻き上げ体１６と回転体１８の上に粘着ロール２１を並べて回動自在に配置してなる清掃具１０であって、前記回転体１８は凹凸部を設けて粘着ロール２１に接触してなるもの。【選択図】  図２
2005066365.tif 000002
【特許請求の範囲】
【請求項１】
フレームに掻き上げ体と、粘着ロールを回転させるための回転体を掻き上げ体と並べて回動自在に支持し、掻き上げ体と回転体の上に粘着ロールを並べて回動自在に配置してなる清掃具であって、
前記回転体は凹凸部を設けて粘着ロールに接触してなる清掃具。
【請求項２】
前記掻き上げ体が掻き上げ部とタイヤ部を備え、掻き上げ部が弾性を有し、清掃時に前方から後方に塵埃を掻き上げる請求項１記載の清掃具。
【請求項３】
前記掻き上げ体の後部に配置され、該掻き上げ体が掻き上げる塵埃を粘着ロールの側にガイドする塵取部をフレームに上下動可能に支持し、該塵取部が床面に隙間なく接する請求項１又は２に記載の清掃具。
【発明の詳細な説明】
【技術分野】
【０００１】
本発明は清掃具に関する。
【背景技術】
【０００２】
清掃具として、ブラシ体と粘着ロールを互いに独立に備え、それらの各個により集塵するもの（特許文献１）、一次吸着ローラの吸着表面と二次吸着ローラの粘着シートを接触回転させて一次吸着ローラに付着した塵埃を最終的に粘着シートの側に集塵するもの（特許文献２）がある。
【特許文献１】実開昭59-139261
【特許文献２】実開平2-12363
【発明の開示】
【発明が解決しようとする課題】
【０００３】
(1)粘着ロールによりカーペットを清掃するとき、粘着ロールがカーペットを構成する繊維まで粘着してしまい、カーペットを傷める。
【０００４】
(2)粘着ロールによりフローリングを清掃しようとすると、粘着ロールがフローリングに強力に粘着して固定化してしまい、粘着ロールを転動できなくなる。
【０００５】
(3)ブラシ体は髪の毛等がからみついて残り易く、安定した清掃性能の維持に困難がある。
【０００６】
本発明の課題は、カーペットもフローリングも長期的に安定して清掃可能とすることにある。
【課題を解決するための手段】
【０００７】
本発明は、フレームに掻き上げ体と、粘着ロールを回転させるための回転体を掻き上げ体と並べて回動自在に支持し、掻き上げ体と回転体の上に粘着ロールを並べて回動自在に配置してなる清掃具であって、前記回転体は凹凸部を設けて粘着ロールに接触してなるようにしたものである。
【発明を実施するための最良の形態】
【０００８】
清掃具１０は、図１、図２に示す如く、柄１１の先端部に継手部１２を介して支持アーム１３を左右方向に揺動自在に結合し、支持アーム１３の両側アーム部１３Ａに支軸部１４を介してフレーム１５を前後方向に揺動自在に支持している。
【０００９】
フレーム１５の前部にはブラシからなる掻き上げ体１６が回転軸１７を介して回動自在に支持され、フレーム１５の後部にはロール体からなる、粘着ロール２１と接触する回転体であって、粘着ロール２１を連れ回すことができる接触回転体１８が回転軸１９を介して回動自在に支持され、掻き上げ体１６と接触回転体１８は平行に並べられて配置される。掻き上げ体１６は、掻き上げ部１６Ａ（ブラシ部）とタイヤ部１６Ｂからなり、掻き上げ部１６Ａの掻き上げ径（ブラシ径）をタイヤ部１６Ｂのタイヤ径より大きくしている。接触回転体１８は、表面を弾性体、例えばシリコーンにて構成する。尚、接触回転体１８は非弾性体であっても良く、また、接触回転体１８には、その表面に凹凸部を設けても良い。凹凸部とは、接触回転体１８のロール表面にリブや凸部、凹部、しぼ面等を設けたことをいう。また、該凹凸部は、粘着ロール２１を転動させることができる。或いは該凹凸部は、粘着ロール２１と接触回転体１８の間の接触面積を小さくすることによって、連れ回り回転を軽くすることができる。
【００１０】
掻き上げ体１６と接触回転体１８の上には、それらに跨がり回転軸を有さない粘着ロール２１が載せられ、粘着ロール２１は掻き上げ体１６と接触回転体１８の回転に連れ回る。特に粘着ロール２１と接触回転体１８との間に働く粘着力によって粘着ロール２１は接触回転体１８の回転に連れ回る。フレーム１５の上部は粘着ロール２１の出し入れ口とされ、取外し可能な透明カバー２２により被覆される。粘着ロール２１は、粘着シートの巻取りロールの構成、又は表面が粘着性のエラストマーからなり、その表面を洗浄して再使用可能とする構成等何れでも良い。本実施例の粘着ロール２１は、粘着面を外側に向けて巻出し可能かつ切断可能な粘着シートの巻取りロールにて構成される。尚、粘着シートにおける基材上に塗布される粘着剤としては、ホットメルト系粘着剤、溶剤系粘着剤、水系粘着剤などが挙げられる。ホットメルト系粘着剤としては、スチレン系やオレフィン系の粘着剤が挙げられる。溶剤系粘着剤としては、スチレン系、オレフィン系、アクリル系の粘着剤が挙げられる。水系粘着剤としてはアクリル系の粘着剤が挙げられる。これらの粘着剤は、髪の毛、パンくずなどの汚れを確実に付着させ、保持する点から好ましい。また、粘着シートにおける基材上の粘着剤塗布量は、25〜50ｇ／ｍ２が好ましく、より好ましくは、25〜35ｇ／ｍ２である。尚、粘着ロール２１を転動させる方法としては、前記の接触回転体１８による連れ回り方法以外にも、粘着ロール２１と回転体１８とをベルトにて連結して連れ回る方法、或いは粘着ロール２１と掻き上げ体１６とをベルトにて連結して連れ回る方法等でも良い。
【００１１】
フレーム１５における掻き上げ体１６の後部には塵取部２３が支持されている。塵取部２３は、床面に接する底面部２３Ａと、掻き上げ体１６に隙間なく（又は隙間を介して）相対する曲面状（又は平面状）のすくい面部２３Ｂを有し、両側の平板状支軸部２３Ｃをフレーム１５の両側の矩形孔２４に上下動可能に支持されている。塵取部２３は、矩形孔２４を支軸部２３Ｃよりも上下方向に大きく設けたので、矩形孔２４に対し上下動する。塵取部２３は、自重により底面部２３Ａとすくい面部２３Ｂの最下端部を床面に隙間なく接し、掻き上げ体１６の掻き上げ部１６Ａが掻き上げる塵埃を床面に沿う後方に逃がすことなく、その全ての塵埃をすくい面部２３Ｂにより粘着ロール２１の側にガイドする。
【００１２】
尚、清掃具１０は、掻き上げ体１６の回転軸１７と接触回転体１８の回転軸１９の軸間距離をＬ、掻き上げ体１６の回転軸１７と支持アーム１３の支軸部１４との軸間距離をＫとするとき、Ｋ＜Ｌ／２とし、使用者が柄１１の軸方向に加える操作力が掻き上げ体１６を床面に押付けるモーメントを大きくし、軽い操作力でタイヤ部１６Ｂを床面に設置させてこれを回動し、スムースに清掃動作を開始可能にする。
【００１３】
清掃具１０による清掃動作は以下の通りなされる。
(1)柄１１の軸方向に加える操作力により清掃具１０を前進させ、掻き上げ体１６のタイヤ部１６Ｂ及び接触回転体１８を回動させ、同時に粘着ロール２１を連れ回り回転させる。
【００１４】
(2)掻き上げ体１６の掻き上げ部１６Ａが床面上の塵埃を掻き上げると、この塵埃は塵取部２３にガイドされて粘着ロール２１の側に送り出され、粘着ロール２１の粘着面に粘着捕捉される。
【００１５】
(3)粘着ロール２１の粘着面に捕捉された塵埃は、粘着ロール２１の回動とともに接触回転体１８の側に移動し、接触回転体１８により粘着ロール２１の粘着面に押付けられて固定化される。
【００１６】
(4)透明カバー２２から粘着ロール２１の粘着面の全周に多量の塵埃が捕捉されたことが視認されたら、カバー２２を開いて粘着ロール２１を取出し、粘着シートの１周分を剥離切断除去し、新規粘着面を露出せしめた後、この粘着ロール２１を再び掻き上げ体１６と接触回転体１８の上に載せ置き、カバー２２を閉じる。
【００１７】
尚、清掃具１０は前進だけでなく、後進もでき、後進時には、接触回転体１８に付着した床面上の塵埃を粘着ロール２１により粘着できる。塵取部２３は、底面部２３Ａの尾端部２３Ｄを湾曲状に跳ね上げ、後進時にこの尾端部２３Ｄが床面に引掛かるのを防止する。尚、尾端部２３Ｄが跳ね上がっているので、底面部２３Ａとすくい面部２３Ｂと尾端部２３Ｄが囲む塵取凹部２３Ｅを形成し、塵取凹部２３Ｅに落ちたごみを捕捉できる。
【００１８】
また、清掃具１０にあって、図３に示す如く、柄１１及び支持アーム１３によりフレーム１５を持上げた状態で、掻き上げ体１６の方が接触回転体１８より前方かつ上方に位置付けられるように、清掃具１０のフレーム１５及びその取付部品の重心を支持アーム１３の支軸部１４まわりに位置設定している。
【００１９】
また、清掃具１０にあっては、図４に示す如く、フレーム１５の立置き状態でフレーム１５を床面に着座せしめる脚部２５を、フレーム１５に設けてある。そして、立置き状態のフレーム１５に対し、支持アーム１３を鉛直上向きに保持するアーム保持手段として、支持アーム１３の内側面に設けたリブ２６、フレーム１５の側部に設けたストッパ２７と乗り越え爪２８を有し、支持アーム１３を図１、図２の通常使用状態から立置き状態に移行するときに、リブ２６は乗り越え爪２８を乗り越え、乗り越え爪２８とストッパ２７の間に挟み保持される。
【００２０】
本実施形態によれば、以下の作用がある。
(1)カーペットは掻き上げ体１６により塵埃を掻き上げられ、この塵埃をその後粘着ロール２１に粘着捕捉される。粘着ロール２１がカーペットに直接接触しないから、カーペットを傷めることがなく、粘着ロール２１の粘着性能の持続性も向上する。
【００２１】
尚、粘着ロール２１は、フレーム１５にその回転軸を支持し、掻き上げ体１６に対し非接触としても良い。即ち、掻き上げ体１６と粘着ロール２１との間は、非接触であっても良く、掻き上げ体１６のブラシ先端部と粘着ロール２１の最外周面との距離は、塵埃の粘着し易さから約2〜3mmが好ましい。
【００２２】
(2)フローリングにおいても、カーペットと同様であり、粘着ロール２１がフローリングに直接接触しないから、粘着ロール２１がフローリングに強力に粘着して固定化してしまうことがない。
【００２３】
(3)掻き上げ体１６は掻き上げた塵埃を直ちに粘着ロール２１の側に粘着されて除去され、髪の毛等がからみついて残ることもなく、粘着ロール２１との接触により常に清浄化されその清掃性能を安定維持できる。
【００２４】
(4)接触回転体１８は粘着ロール２１を載置させて該粘着ロール２１を確実に連れ回り回転させる。従って、掻き上げ体１６に接する粘着ロール２１の粘着面を回転により均一かつ効率良く粘着面を有効活用でき、掻き上げ体１６が掻き上げた塵埃を粘着ロール２１の新規粘着面により確実に粘着捕捉可能とする。このとき、粘着ロール２１を掻き上げ体１６と接触回転体１８の上に跨らせるから、大小数種類のどのような外径の粘着ロール２１も清掃具１０に装填できる。よって、粘着ロール２１の外径寸法に製造上の自由度が得られ、床状態に応じて、適切な外径の粘着ロール２１を選択できる。
【００２５】
(5)接触回転体１８は粘着ロール２１に粘着捕捉された塵埃を、粘着ロール２１の粘着面に押付け、塵埃の捕捉状態の固定化に寄与する。尚、接触回転体１８が床面との接触により捕捉した塵埃も、粘着ロール２１により粘着捕捉され、粘着ロール２１は接触回転体１８も清浄に保つ。即ち、清掃時には、粘着ロール２１と接触回転体１８とは、接触して塵埃を捕捉する。但し、清掃前又は清掃状況によっては、粘着ロール２１と接触回転体１８とは、接触又は非接触のいずれかがある。
【００２６】
(6)掻き上げ体１６と接触回転体１８により粘着ロール２１を支持できるため、粘着ロール２１をフレーム１５に支持する等の支軸を不要にできる。粘着ロール２１の付け替えが容易になるし、清掃時の支軸接触不良に起因する粘着ロール２１の回転阻害を防止できる。また、清掃具１０を低コスト化できる。
【００２７】
(7)掻き上げ体１６と接触回転体１８と粘着ロール２１で囲む閉空間を床面上に形成し、掻き上げ体１６が掻き上げる塵埃を該閉空間に閉じ込めて捕集できる。このため、塵埃を広く拡散させることなく、周辺を汚すことがない。
【００２８】
(8)掻き上げ体１６の回転方向の後部上方で、該掻き上げ体１６に近接する位置に粘着ロール２１を配置でき、掻き上げ体１６が掻き上げた塵埃をその掻き上げ方向の直近で粘着ロール２１により捕捉できる。掻き上げた塵埃を逃がすことが少ない。
【００２９】
（その他の作用）
(9)掻き上げ体１６がカーペットの繊維の深い部分から掻き上げる塵埃も、フローリングの硬い平坦面から後方に掻き飛ばす塵埃も、掻き上げ体２１の後部の塵取部２３にすくい上げられて確実に粘着ロール２１の方向にガイドされ、集塵性能を向上できる。
【００３０】
(10)掻き上げ体１６がタイヤ部１６Ｂを備えるから、タイヤ部１６Ｂは清掃具１０の重量により床面に押付けられて回転し、掻き上げ体１６を確実に回転させる。掻き上げ径をタイヤ径より大きくしたから、掻き上げ部１６Ａは弾性たわみの復元に基づく掻き上げ力により塵埃を強力に掻き上げ、掻き上げ性能を向上するし、カーペットの繊維の深い部分の塵埃も良く掻き出しできる。
【００３１】
(11)掻き上げ体１６の掻き上げ部１６Ａとタイヤ部１６Ｂが同軸をなし、タイヤ部１６Ｂが床面に押付けられて回転するから、掻き上げ部１６Ａは床面上の塵埃を清掃具１０の進み方向に対する後方に掻き上げる方向（順方向）に回転する。従って、掻き上げた塵埃をフレーム１５の外へ押出すことなく、フレーム１５の内側の塵取部２３、粘着ロール２１にて取り込める。
【００３２】
(12)掻き上げ体１６の掻き上げ部１６Ａが上述の順方向に回転するから、塵取部２３を掻き上げ部１６Ａの後部に近接配置するものとなり、床前方から清掃具１０に取り込まれる大きな塵埃が掻き上げ部１６Ａに進入する過程で塵取部２３が邪魔にならない。これに対し、掻き上げ体１６の掻き上げ部１６Ａがタイヤ部１６Ｂとの間に歯車列を介する等により上述の順方向とは逆方向に回転する場合には、塵取部２３を掻き上げ部１６Ａの前部に近接配置するものになり、床前方から清掃具１０に取り込まれる大きな塵埃が掻き上げ部１６Ａの前部の塵取部２３に引っかかってしまい、塵埃の掻き上げ部１６Ａへの進入が阻害される。また、塵取部２３を掻き上げ部１６Ａの前部で、かつ床面から上方に大きく離隔させて配置すると、塵取部２３が塵埃の掻き上げ部１６Ａへの進入を阻害しなくなるが、掻き上げ部１６Ａが掻き上げた塵埃を塵取部２３の下部から外方へと素通りさせてしまって塵取部２３、粘着ロール２１に取り込めない。
【００３３】
(13)接触回転体１８は弾性体表面を備えることにより、粘着ロール２１に粘着捕捉されている塵埃を該粘着ロール２１の粘着面に良く押付け固定化できる。
【００３４】
(14)粘着ロール２１の粘着力が強い場合、粘着ロール２１と接触回転体１８が連れ回り回転するため、回転しにくく、操作が重くなる。そこで、接触回転体１８の表面に最低２ヵ所以上凹凸部を設けることにより、回転を軽くすることができる。即ち、接触回転体に凹凸部を設けることは、粘着ロール２１と接触回転体１８との間にすき間を形成することとなり、両者の接触面積を減らし、操作性を向上させることが可能となる。粘着ロール２１と接触回転体１８とが密着せずに接触回転体１８に付着したゴミが粘着ロール２１に転写するために、好ましい凹凸部の高さは、0.1〜0.5ｍｍ、より好ましくは0.2〜0.4ｍｍである。ここで、凹凸部とは、接触回転体１８の表面にリブや凸部、凹部、しぼ面等を設けることをいう。
【００３５】
(15)清掃具１０の保管時、支持アーム１３を立置き状態のフレーム１５に対し鉛直上向きに保持し、立置き状態のフレーム１５の脚部２５を床面に着座しておくことができ、コンパクトな姿勢で安定保管できる。掻き上げ体１６が保管中、床面に着座しないから、掻き上げ体１６がへたらず、その掻き上げ性能を安定維持できる。
【００３６】
従来粘着ロールの基材上の粘着剤塗布量は、従来の粘着ロールが被清掃面に直接的に転接するものであるため、カーペット等の植毛のむしり取りを回避する等のために余り大きくできず、10〜20ｇ／ｍ２であった。このため、粘着ロール表面にゴミがかぶさり、粘着力がすぐに弱まり、新規粘着面を露出した後の、清掃可能な床面積（清掃力持続面積）が小さかった。これに対し、本発明では、粘着ロールが直接的に被清掃面に接するものでないから、粘着ロールの粘着剤塗布量を大きくでき、結果として、清掃力持続面積を大きくできる。本発明において、新規粘着面に交換するまでの適正な剥離力確保のため、好ましい粘着ロールの基材上の粘着剤塗布量は25〜50ｇ／ｍ２、より好ましくは、25〜35ｇ／ｍ２である。
【００３７】
また、上記実施形態にあっては、支持アーム１３によりフレーム１５を持上げた状態で、掻き上げ体１６の方が接触回転体１８より前方かつ上方に位置付けられる。従って、支持アーム１３によりフレーム１５を床面に設置するとき、接触回転体１８が先に設置して、その後掻き上げ体１６が設置するから、スムースに清掃開始できる。
【００３８】
本発明で利用される粘着ロールとして、コアロールに筒状シートを着脱可能に被せるものを使用しても良い。このとき、筒状シートの原形は、枚葉型の封筒状シートをなすものとし、多数の封筒状シートを互いに積層して保管することができる。
【００３９】
また、本発明において、掻き上げ体は、ブラシに限らず、スポンジ、ゴムブレード、エラストマー、弾性突起体等でも良い。
【００４０】
また、本発明において、接触回転体は、ロール体に限らず、タイヤ等でも良い。更に、接触回転体は、弾性体からなるものに限らず、非弾性体からなるものでも良い。
【図面の簡単な説明】
【００４１】
【図１】図１は清掃具を示す側面図である。
【図２】図２は図１の断面図である。
【図３】図３は清掃具の持上げ状態を示す側面図である。
【図４】図４は清掃具の立置き保管状態を示す側面図である。
【符号の説明】
【００４２】
１０  清掃具
１３  支持アーム
１５  フレーム
１６  掻き上げ体
１６Ａ  掻き上げ部
１６Ｂ  タイヤ部
１８  接触回転体
２１  粘着ロール
２３  塵取部
２５  脚部
２６  リブ（アーム保持手段）
２７  ストッパ（アーム保持手段）
２８  乗り越え爪（アーム保持手段）
【図１】
2005066365.tif 000003
【図２】
2005066365.tif 000004
【図３】
2005066365.tif 000005
【図４】
2005066365.tif 000006